(57)【要約】【課題】使用者の体型や好みに応じて簡単な構造でマットレスの高さを調整可能とする構成とすると共に、ベッド下に埃等が入り込みにくい構成とする。【解決手段】ヘッドボード１、サイドボード４およびフットボード５から成るベッド枠１２の内側に、ベッド１１の高さ方向に対して、段階的な支持が自在である棒状支持部材６を、締結部材７によりサイドボード４に取り付ける。そして、棒状支持部材６の上に板状部材９およびマットレス１０を載置して、マットレス１０の高さ調整が行える構成とした。【選択図】　図１
2004057301.tif 000002
【特許請求の範囲】
【請求項１】
ヘッドボード、該ヘッドボードに固定される対のサイドボードおよび該サイドボードに固定されるフットボードから成るベッド枠に対して、所定位置にて板状部材が支持され、該板状部材の上にマットレスが載置されるベッドにおいて、
前記ベッド枠の内側で前記ベッド枠の内壁に沿って配設され、前記板状部材を高さ方向に対して段階的な支持が自在である棒状支持部材と、
該棒状支持部材を高さ方向に位置決めする位置決め部材とを備え、前記棒状支持部材の上に前記板状部材が載置され、前記マットレスの高さが調整されることを特徴とするベッド。
【請求項２】
ヘッドボード、該ヘッドボードに固定される対のサイドボードおよび該サイドボードに固定されるフットボードから成るベッド枠に対して、所定位置にてマットレスがベッド枠に取り付けられるベッドにおいて、
前記ベッド枠の内側に、高さ方向に対して段階支持が自在である位置決め部が形成され、該位置決め部にて棒状支持部材が水平に支持され、前記マットレスの高さが調整されることを特徴とするベッド。
【請求項３】
前記マットレスの高さ調整が行える前記ベッド枠は、床面に対して周接することを特徴とする請求項１または請求項２に記載のベッド。
【発明の詳細な説明】
【０００１】
【発明が属する技術分野】
本発明はベッドに関するものであり、特に、高さ調整が行えるベッドの構造に関するものである。
【０００２】
【従来の技術】
通常、ベッドはヘッドボード、サイドボード、フットボードから構成されるベッド枠の内側が段部となっており、この段部に「すのこ」と称される板状部材を載せて、板状部材の上にマットレスが載置される構成となっている。通常、成人用ベッドでは、サイドボードは床面よりも高くなっており、マットレスの高さは固定される。
【０００３】
実際、この様なベッドを使用者が使用する場合には、使用者の身長や年齢により、適切な高さや好み（例えば、マットレス上に使用者が腰掛けた状態で、足が床につく状態）はそれぞれ異なっており、使用者によってはマットレスの高さを変更したい場合があり得る。
【０００４】
そこで、この様なマットレスの高さが一定となるベッドに対して、マットレスの高さを床面に対して上下方向に調整可能な調整機構を備えたベッドが、特開２００１−２９３０３８号公報に開示されている。この公報に示されるベッドでは、ベッドの下側フレームに回動自在に支持された複数のリンクによって上側フレームの高さが床面に対して上下方向に移動することにより、上側フレームの上に載置されるマットレスの高さ調整が行える。
【０００５】
【発明が解決しようとする課題】
しかしながら、使用者の体型や好みに合わせてマットレスまでの高さを調整できる様にするため、単に、サイドボードの上下の高さ方向での位置を変えて上方に上げた状態にすると、サイドボードの下方には空間が形成されてしまい、この様にサイドボードの下に空間が形成されると、ベッドの下に埃等が入り込み、ベッド下の掃除がしにくくなる。
【０００６】
また、上記した公報に示されるベッドでは、複数のリンク機構を使用するために、ベッド構造が複雑になり、コストアップを招く。
【０００７】
本発明の技術的課題は、使用者の体型に応じて簡単な構造でマットレスの高さを調整可能とする構成とすること、ベッド下に埃等が入り込みにくい構成とすることである。
【０００８】
【課題を解決するための手段】
上記した技術的課題を解決するために講じた第１の手段は、請求項１に示すように、ヘッドボード、該ヘッドボードに固定される対のサイドボードおよび該サイドボードに固定されるフットボードから成るベッド枠に対して、所定位置にて板状部材が支持され、該板状部材の上にマットレスが載置されるベッドにおいて、
前記ベッド枠の内側で前記ベッド枠の内壁に沿って配設され、前記板状部材を高さ方向に対して段階的な支持が自在である棒状支持部材と、該棒状支持部材を高さ方向に位置決めする位置決め部材とを備え、前記棒状支持部材の上に前記板状部材が載置され、前記マットレスの高さが調整される構成としたことである。
【０００９】
上記した手段によれば、マットレスの高さを使用者の体型に応じて変更する場合、棒状支持部材を高さ方向において段階的となっている所定位置に位置決め部材により位置決めした状態で、板状部材およびマットレスを載置することにより、マットレスの高さ調整が行える。つまり、上記した構成によって、ベッドのマットレスの高さを使用者の好みに応じての変更、または、使用者の自らの身長や年齢に応じたマットレスの高さを調整することが可能となるので、利便性が向上する。この場合、ベッド枠に対して、好みの高さで棒状支持部材を位置決め部材によって位置決めすれば良いので、マットレスの高さ調整の構造は、従来の如く複数のリンク構造は必要なく、簡単となり、高さ調整が安価に行える。
【００１０】
また、上記した技術的課題を解決するために講じた第２の手段は、請求項２に示すように、ヘッドボード、該ヘッドボードに固定される対のサイドボードおよび該サイドボードに固定されるフットボードから成るベッド枠に対して、所定位置にてマットレスがベッド枠に取り付けられるベッドにおいて、
前記ベッド枠の内側に、高さ方向に対して段階的に支持が自在である位置決め部が形成され、該位置決め部にて棒状支持部材が水平に支持され、該棒状支持部材に前記マットレスが載置され、前記マットレスの高さが調整される構成としたことである。
【００１１】
上記した構成によれば、ベッド枠の内側に高さ方向に対して段階的に支持が自在である位置決め部に棒状支持部材が水平に支持された状態でマットレスが載置されるので、水平な棒状支持部材によって、安定した状態でマットレスが載置される。この場合、水平となった棒状支持部材の上面でマットレスに作用する荷重を受けることになるので、ベッド使用時の荷重を面接触または線接触にて受けるため、十分な強度が確保される。よって、上記した構成によって、高さを使用者の必要に応じて変更することが可能となり、ベッドの使用者は自らの身長や年齢や好みに応じて簡単な構成によりマットレスの高さを調整することが可能となり、利便性の向上を図ることが可能となる。
【００１２】
また、上記した構成において、マットレスの高さ調整が行えるベッド枠は、床面に対して周接すれば、ベッドボード、対のサイドボード、フットボードを構成するベッド枠は床面との間で、隙間なく周接させることが可能となる。このため、ベッド下に埃等が入り込まなくなり、掃除がし易くなる。
【００１３】
【発明の実施の形態】
本発明におけるベッドの一実施形態について、図面を参照して説明する。尚、以下に示すマットレス１０の高さを可変にするベッド１１の構造はこれに限定するものではなく、ベッド枠１２に対してマットレス１０の高さ調整が行えるベッド１１に適用が可能である。
【００１４】
図１に実施形態におけるベッド１１の構成を示す。ベッド１１はベッド枠１２として、使用者が寝た場合に使用者の頭部がくるヘッドボード１と、対のサイドボード４と、足部がくるフットボード５から構成され、図１においてベッド枠１２の下方は床面１３と周接した状態で、床上に置かれる。ベッド枠１２は、使用者の体重を支えられる様、金属あるいは木材により成り立っている。ヘッドボード１の左右両端には２枚の細長いサイドボード４が、垂直な状態で突き合わせられ、その接合部にはＬ字状の２つのボルト孔２ｂが形成された金具２により、ボルト等の締結部材３によりヘッドボード１とサイドボード４は取り付けられ、固定されている。この場合、金具２はヘッドボード１とサイドボード４の長手方向の端部に形成された凹部１ａ，４ａに収まる様に取り付けられている。つまり、サイドボード４に対して、上下に２つの締結部材３を固定孔２ａにて固定し、サイドボード４に金具２の一方を固定する。その後、金具２のもう一方の２つの略Ｌ字状となったボルト孔２ｂにそれぞれボルト等の締結部材３を取り付けることにより、サイドボード４とヘッドボード１とを固定している。
【００１５】
サイドボード４のヘッドボード１とは反対側の端部には、ヘッドボード１と同様な取り付けにて、フットボード５が金具２を介して、ボルト等の締結部材３により、サイドボード４に対して垂直に取り付けられて、長方形状のベッド枠１２を構成している。
【００１６】
更に、サイドボード４の内側の側面には、数センチ角の棒状を呈する棒状支持部材６が床面に対して平行な状態で取り付けられる。この棒状支持部材６は、少なくとも両端の２ヶ所を、ボルト等の締結部材７によって、高さ方向の所定位置にて、サイドボード４の内側に予め圧入された複数の固定ナット８に対して、締結部材７を螺合させることにより、金属または木材より成る棒状支持部材６をサイドボード４に対して固定する。この場合、棒状支持部材６の取り付けにおいては、床面１３に対する取り付け高さが、例えば、図２においてはこれに限定されるものではないが、一例として３段階で選択できる様になっている。つまり、床面１３の棒状支持部材６をサイドボード４に対して取り付ける高さが、高い位置から低い方に順番に、上位置、中位置、下位置の３段の中からいずれかの高さを使用者の好みまたは体型によって選ぶことができる。つまり、ベッド１１の使用者は、この様な上位置、中位置、下位置の何れか一つを選択して、サイドボード４に圧入された固定ナット８に対して、棒状支持部材６をボルト等の締結部材７によって固定することによって、棒状支持部材６の床面１３からの高さが定まる。これによって、棒状支持部材６の上に載置される２枚の板状部材（ボトムボード）９の高さが定まる。図２に示す（ａ）は、上位置で棒状支持部材６をサイドボード４に対して固定した場合を示し、（ｂ）は中位置にて棒状支持部材６をサイドボード４に固定した場合を示す。また、（ｃ）は下位置にて棒状支持部材６をサイドボード４に取り付けた状態を示している。この様に、高さ方向の所定位置にて、棒状支持部材６がサイドボード４に対して固定された状態で、ボトムボード９の上にマットレス１０が載置されると、マットレス１０の床面１３からの高さも必然的に定まる。
【００１７】
図３は、実際に、床面１３に対してマットレス１０の高さを変えて使用する場合における、使用者の体型に基づくマットレス上での着座状態を示す。例えば、図３の（ａ）は棒状支持部材６を最も高い位置に固定した状態を示し、（ｂ）は棒状支持部材６を最も低い位置に固定した状態を示す。（ａ）の状態では、使用者がマットレス上に腰掛けているとき、使用者の足の長さにもよるが、（ａ）の如く、マットレス１０の高さが床面１３に対して高い状態では、使用者の足は床面１３に届かず、宙に浮いた状態となり、体型に対してマットレス１０の高さが高いために使用者は安定感がなくなるため、不安感を与えるものとなる。そこで、棒状支持部材６を使用者の体型または好みに応じて、簡単な締結部材７による棒状支持部材６のみの固定により高さ調整を行うことにより、図３の（ｂ）に示す如く、マットレス１０の高さを（ａ）よりも低くすることによって、使用者がマットレス上に腰掛けた状態で、使用者の足が床面１３に届く様になるので、使用者の体が安定し、安心感が与えられるものとなる。この様な構成をとれば、ベッド枠１２に対してマットレス１０の高さ調整が可能となるが、この場合、ベッド枠１２の下方は床面１３に周接するので、ベッド枠１２の下方に隙間が形成されベッド１１の下に埃等が入り込むことが防止できる。これは、ベッド１１が置かれた状態で、掃除等がし易くなると共に、ベッド下に物等が入り込まない構成とすることができる。
【００１８】
次に、図１に示すベッド１１の組付け手順について説明する。組み付けを行う場合、最初、ヘッドボード１にサイドボード４をジョイント金具２を用いてボルト等の締結部材３を取り付ける。そして、ヘッドボード１に対して左右対称に、２枚のサイドボード４をヘッドボード１に垂直に取り付けて、コ字状とする。次に、ヘッドボード１の左右に取り付けられたサイドボード４の他端にフットボード５をジョイント金具２を用いて、ボルト等の締結部材３により取り付ける。すると、ベッド枠１２の全体がロ字状となり、ヘッドボード１だけが相対的に高く、他のボードは低くて、平らな形となる。
【００１９】
その後、左右のサイドボード４の内側に圧入された固定ナット８に対して、棒状支持部材６を取り付ける。この場合、棒状支持部材６の取り付け位置を床面１３からの高さを上位置、中位置、下位置の中から、使用者の体型た好みに合わせて取り付け高さを選択し、棒状支持部材６の端部および中央に設けられた複数ヶの孔６ａの位置を、サイドボード４に取り付けられた固定ナット８の位置に合わせて、ボルト等の締結部材７を螺合させてサイドボード４に固定する。その後、両サイドボード４に対して、棒状支持部材６の取り付けが完了してから、この棒状支持部材上に２枚のボトムボード９を水平に並べて載置する。この時、金具２が取り付けられている各ボードの四隅は、それぞれ凹部内に金具２が配設されているので、ボトムボード９の載置には途中で金具２と干渉せず、支障がない構成となっている。そして、その上にマットレス１０を載せて、ベッド１１の組み付けが完了する。
【００２０】
【発明の効果】
第１の発明によれば、マットレスの高さを使用者の体型や好みに応じて変更する場合、棒状支持部材を高さ方向において段階的となっている所定位置に位置決め部材により位置決めした状態で、板状部材およびマットレスを載置することができ、マットレスの高さ調整ができる。これは、マットレスの高さを使用者の好みや体型に応じて調整することができるため、利便性を向上させることができる。また、ベッド枠に対して、好みの高さで棒状支持部材を位置決め部材によって位置決めすれば良く、マットレスの高さ調整の構造は、従来の如く複数のリンク構造は必要なく、簡単且つ安価にできる。
【００２１】
また、第２の発明によれば、ベッド枠の内側に高さ方向に対して段階的に支持が自在である位置決め部に棒状支持部材が水平に支持された状態でマットレスが載置されるので、水平な棒状支持部材によって、安定した状態でマットレスを載置することができる。この場合、水平となった棒状支持部材の上面で荷重を面接触または線接触にて受けるため、十分な強度を確保することができる。更に、上記構成では、高さを使用者の必要に応じて変更することができ、ベッドの使用者は自らの身長や年齢に応じて簡単な構成によりマットレスの高さを調整することができるので、利便性を向上させることができる。
【００２２】
更にその上、マットレスの高さ調整が行えるベッド枠は、床面に対して周接すれば、ベッドボード、対のサイドボード、フットボードを構成するベッド枠は床面との間で、隙間なく周接させることができ、これによって、ベッド下に埃等が入り込まなくでき、ベッド廻りの掃除がし易い構成とすることができる。
【図面の簡単な説明】
【図１】本発明の一実施形態におけるベッドの構成図である。
【図２】図１に示すヘッドボードとサイドボードを固定する金具の取付け状態、および、棒状支持部材を（ａ）は上段、（ｂ）は中断、（ｃ）は下段に取り付けた状態での状態説明図である。
【図３】図１に示すベッドに使用者が腰掛けている状態を示し、（ａ）はマットレスが高い状態、（ｂ）はマットレスが低い状態での状態説明図である。
【符号の説明】
１　ヘッドボード
４　サイドボード
５　フットボード
６　棒状支持部材
７　締結部材（位置決め部材）
８　固定ナット（位置決め部材）
９　ボトムボード
１０　マットレス
１１　ベッド
１２　ベッド枠
１３　床面
【図１】
2004057301.tif 000003
【図２】
2004057301.tif 000004
【図３】
2004057301.tif 000005